(57)【要約】【課題】大量の原稿を分離搬送でき、紙粉を発生させずに読取りを確実にできる両面画像読取り装置を提供する。【解決手段】両面原稿読取り装置１は、分離搬送される原稿の一面を読取るＣＣＤ読取りユニットと、原稿の他の面を読取るＣＩＳ２１と、読取位置へと原稿を案内する補助ガイド部材３０とを備えている。補助ガイド部材３０は、バネ３０ｂを備えており、回動支点３０ａを中心として回転可能となっている。原稿Ｐと補助ガイド部材３０とが接触すると、バネ３０ｂが原稿Ｐに対する補助ガイド部材３０の位置を適切に調整する。補助ガイド部材３０は原稿Ｐと接触しても紙粉を生じさせないので、読取りの誤りを生じず、読取りを確実にできる。【選択図】　図１
2004007229.tif 000002
【特許請求の範囲】
【請求項１】
搬送される原稿の一面を読取る第１の読取り手段と、上記原稿の他の面を読取る第２の読取り手段とを備えた両面画像読取り装置において、
上記第１の読取り手段および上記第２の読取り手段へと搬送される上記原稿の搬送方向の上流側に弾性変形する弾性部材を有する一方、上記搬送方向の下流側に回動支点を有する補助ガイド部材を備え、
上記補助ガイド部材は、搬送される上記原稿と接触すると、上記弾性部材が弾性変形することによって上記回動支点を中心として回転することを特徴とする両面画像読取り装置。
【請求項２】
上記第１の読取り手段は、上記第２の読取り手段よりも、上記搬送方向の下流側に備えられるとともに、
上記第１の読取り手段における焦点深度は、上記第２の読取り手段における焦点深度よりも浅いことを特徴とする請求項１に記載の両面画像読取り装置。
【発明の詳細な説明】
【０００１】
【発明の属する技術分野】
本発明は、シート状の原稿を分離搬送しつつ、２つの読取り手段が表裏それぞれの面の画像を読取るようにした両面画像読取り装置に関するものである。
【０００２】
【従来の技術】
従来より、スキャナ機能を備えた画像読取装置を用いて原稿の画像情報を読取って印刷を行う複写機などの画像形成装置において、シート状の原稿を順次搬送しながら画像情報を読取って印刷を行わせるためのＡＤＦ（Ａｕｔｏ　Ｄｏｃｕｍｅｎｔ　Ｆｅｅｄｅｒ、自動原稿送り装置）を備えた画像読取装置が用いられている。
【０００３】
従来の画像読取装置の一例として、日本国の公開特許公報「特開平２−９７９３４号公報（公開日：１９９０年４月１０日）」に記載された原稿読取装置がある。
【０００４】
上記原稿読取装置３４は、図１２に示すように、上原稿台３５、下原稿台３６、給紙ローラ３７、排紙ローラ３８、ＣＳローラ３９、読取りカバー４０、バネ４１、密着型読取りセンサ４２およびバックアップコロ４３・４４を備えている。
【０００５】
ＣＳローラ３９は、自重および読取りカバー４０とＣＳローラの軸との間に取り付けられているバネ４１によって、密着型読取センサ４２に押圧されている。ＣＳローラ３９の軸は、原稿読取装置３４の図示しない側板のＵ溝に固定されている。また、ＣＳローラ３９は、原稿Ｐの紙厚に応じて、Ｕ溝に沿って上下するようになっている。
【０００６】
上記構成において、原稿Ｐを読取る際には、給紙ローラ３７によって搬送される原稿ＰをＣＳローラ３９が密着型読取センサ４２に押圧するとともに、密着型読取センサ４２が原稿Ｐの読取りを行う。その後に排出ローラ３８によって原稿Ｐを排出する。
【０００７】
また、ＣＳローラ３９は、図示しないバネによって、密着型読取センサ４２と離間する方向にも力を受けている。読取りカバー４０を開いて原稿Ｐを引き抜く際には、ＣＳローラ３９は原稿Ｐから離間するようになっている。
【０００８】
また、従来の画像読取装置としては、上記構成の画像読取装置だけでなく、例えば２つの読取手段を備えており、２つの読取手段がそれぞれ搬送される原稿の表面、裏面の読取を行うようにした画像読取装置もある。
【０００９】
このような画像読取装置の一例として、日本国の公開特許公報「特開平９−４６４７２号公報（公開日：１９９７年２月１４日）」に記載された原稿読取用の原稿自動送り装置がある。
【００１０】
上記原稿自動送り装置４５は、図１３に示すように、載置トレイ４６、給紙ローラ４７、反転搬送経路４８、第１読取ユニット５１、第２読取ユニット４９、透明板５０、排出トレイ５２、透明原稿台５３およびスライド軸５４を備えている。
【００１１】
原稿自動送り装置４５は、原稿載置トレイ４６に載置された原稿Ｐを、給紙ローラ４７によって１枚ずつ湾曲搬送経路４８へと供給する。湾曲搬送経路４８においては、供給された原稿Ｐを経路に沿って搬送し、途中に設けられた第２読取ユニット４９によって原稿Ｐの一方の面を読取る。湾曲搬送経路４８から供給された原稿Ｐを、透明板５０の位置において、第１読取ユニット５１によって上述の面とは異なる面を読取る。読取った原稿Ｐは排出トレイ５２に排出する。
【００１２】
また、透明原稿台５３上に載置された原稿Ｐを、スライド軸５４を介して第１読取ユニット５１を移動させることによって読取ることができる。
【００１３】
上記構成においては、湾曲搬送経路４８の途中に第２読取ユニット４９が設けられ、その後第１読取ユニット５１によって第２読取ユニット４９とは異なる面を読取るようになっているので、１度の搬送で１枚の原稿の両面を読取ることができる。
【００１４】
また、上記とは異なる画像読取装置の他の一例として、日本国の公開特許公報「特開平１１−２７４４４号公報（公開日：１９９９年１月２９日）」に記載された原稿読取り装置がある。
【００１５】
複写装置５５の原稿読取り装置５６は、図１４に示すように、原稿載置台５７、分離部５８、ブックスキャナ部６１、ＣＩＳ（Ｃｏｎｔａｃｔ　Ｉｍａｇｅ　Ｓｅｎｓｏｒ：密着型イメージセンサ）６２および排紙トレイ６３を備えている。また、複写装置５５は、原稿読取り装置５６によって読取った情報を印刷するための記録部６４をも備えている。
【００１６】
分離パッド５９および分離ローラ６０からなる分離部５８によって、原稿載置トレイ５７の原稿Ｐを１枚ずつ取り出す。分離ローラ６０によって搬送された原稿Ｐを、ブックスキャナ部６１およびＣＩＳ６２を用いて読取る。ここで、ブックスキャナ部６１において原稿の一面を、ＣＩＳ６２において原稿の他の面をそれぞれ読取るようになっている。そして、読取った原稿Ｐを排出トレイ６３に排出する。
【００１７】
これにより、ブックスキャナ部６１とＣＩＳ６２とを用いて１枚の原稿の両面を読取り、また複数の原稿Ｐを停止させることなく搬送させながら順次読取ることができた。
【００１８】
【発明が解決しようとする課題】
しかしながら、上記公報に記載の各構成によれば、大量の原稿を扱うことができず、また厚紙の原稿を適切に読取ることができないという問題を生ずる。
【００１９】
すなわち、近年、上述した各画像読取装置を備えたプリンタなどは、従来と比較して種々の用途に用いられるようになっている。例えば従来は扱われなかった厚みの原稿を扱う必要も生じている。また、従来と比較してより大量の情報を扱う必要があるので、より大量の原稿を高速に読取る必要も生じている。
【００２０】
ところが、上述した各構成については、以下のような問題点を生じる虞れがある。
【００２１】
すなわち、上記特開平２−９７９３４号公報に記載の構成は、図１２に示すように、給紙ローラ３７から搬送されてくる原稿Ｐを、ＣＳローラ３９が密着型読取センサ４２に押圧する構成である。
【００２２】
ここで、上述のように、種々の厚みの原稿を、大量印刷のために高速で、ＣＳローラ３９と密着型読取センサ４２との間に突入させる場合には、ＣＳローラ３９と密着型読取センサ４２との間の圧力を微妙に調整する必要があり、この調整が安定しないと原稿Ｐの腰折れが生じる虞れがある。また、ＣＳローラ３９と原稿Ｐ、および密着型読取センサ４２と原稿Ｐとの間にそれぞれ強い摩擦を生じるので、原稿Ｐが劣化して紙粉を発生する虞れがある。
【００２３】
また、上記特開平９−４６４７２号公報記載の原稿自動送り装置４５は、図１３に示すように、湾曲搬送経路４８の途中の第２読取ユニット４９によって読取りを行うとともに、湾曲搬送経路４８の後に第１読取ユニット５１によって読取を行う構成である。ここで、第１読取ユニット５１への搬送においては、ほぼ垂直方向に伸びる湾曲搬送経路４８から透明板５０に向けて、搬送経路がほぼ直角に曲がっている。
【００２４】
このため、原稿Ｐの搬送において、湾曲搬送経路４８から透明板５０に向けて原稿を搬送する際に、原稿Ｐが搬送路に突き当たって、搬送路との摩擦によって紙粉を発生させる可能性がないとは言えない。
【００２５】
また、上記特開平１１−２７４４４号公報記載の原稿読取り装置５６は、図１４に示すように、原稿載置トレイ５７上の原稿Ｐを、分離ローラ６０を用いてブックスキャナ部６１およびＣＩＳ６２による読取位置に搬送する構成である。
【００２６】
ここで、図１４に示すように、分離ローラ６０は原稿載置トレイ５７からの原稿Ｐを一気に反転させて読取位置に搬送するようになっている。このため、強い力で原稿Ｐを押し付けて搬送を行うようになっている。したがって、原稿Ｐと分離ローラ６０との間、または原稿Ｐと搬送路との間で強い摩擦が生じ、原稿Ｐが劣化する虞れがある。また、原稿Ｐが、分離ローラ６０から読取位置のある平面に強い力で送りだされて、突き当てられた原稿Ｐが紙粉を生じる虞れもある。
【００２７】
以上のように、上述の従来の構成によれば、特に、大量の原稿を扱うために原稿Ｐを高速で搬送する場合や、厚紙の原稿を扱う場合には、読取り位置の近傍で原稿Ｐが紙粉を生じる可能性がある。この場合には、生じた紙粉によって、原稿の読取りを適切に行えない虞れがある。
【００２８】
本発明は、上記の問題点に鑑みてなされたものであり、その目的は、大量の原稿を分離搬送でき、厚紙の原稿を読取る場合であっても、原稿の読取りを確実に行うことのできる両面画像読取り装置を提供することにある。
【００２９】
【課題を解決するための手段】
本発明に係る両面画像読取り装置は、上記課題を解決するために、搬送される原稿の一面を読取る第１の読取り手段と、上記原稿の他の面を読取る第２の読取り手段とを備えた両面画像読取り装置において、上記第１の読取り手段および上記第２の読取り手段へと搬送される上記原稿の搬送方向の上流側に弾性変形する弾性部材を有する一方、上記搬送方向の下流側に回動支点を有する補助ガイド部材を備え、上記補助ガイド部材は、搬送される上記原稿と接触すると、上記弾性部材が弾性変形することによって上記回動支点を中心として回転することを特徴としている。
【００３０】
上記構成において、第１の読取り手段および第２の読取り手段へと原稿を搬送する際に、原稿が補助ガイド部材に接触すると、弾性部材が弾性変形することによって補助ガイド部材は回動支点を中心として回転する。このため、原稿と補助ガイド部材との接触によっても紙粉を発生させない。
【００３１】
すなわち、原稿の読取りの際に、原稿の紙厚によっては、搬送されてくる原稿が搬送路に接触する場合がある。この場合には、原稿と搬送路との摩擦によって原稿が劣化して、紙粉を発生する虞れがある。特に、原稿の読取位置の近傍で紙粉が発生した場合には、原稿の読取りを適切に行えない虞れがある。
【００３２】
一方、本発明に係る両面画像読取り装置においては、例えば原稿が搬送路と接触するような位置に補助ガイド部材を設ける。そして原稿の搬送を行えば、原稿が補助ガイド部材と接触しても、補助ガイド部材が回転して、原稿との無理な接触を避ける状態となる。このため、原稿を劣化させず、紙粉を生じさせない。
【００３３】
また、上記構成において、補助ガイド部材は回動支点を有している。ここで、例えば補助ガイド部材が弾性部材のみを備えている場合には、補助ガイド部材が原稿と接触すると、補助ガイド部材は原稿の進行方向に振動してしまう虞れもある。この場合には、原稿との摩擦を増大させて、紙粉を生じさせてしまう可能性がある。一方、本発明においては、補助ガイド部材は弾性部材とともに回動支点を有しており、原稿の進行方向に振動してしまう虞れはない。したがって、紙粉を生じる可能性を増大させない。
【００３４】
以上のように、原稿の撓み、張りの具合に応じて補助ガイド部材が回動するので、例えば大量印刷のために高速で原稿を搬送する場合や、または厚紙を搬送する際に原稿と搬送路とが接触する配置の場合であっても、原稿と補助ガイド部材とは無理な摩擦を生じないので、紙粉が発生することもない。このため、紙粉によって生ずる黒すじなどの読取品質、印刷品質の劣化を防止できる。
【００３５】
したがって、大量の原稿を分離搬送でき、厚紙の原稿を読取る場合であっても原稿の読取りを確実に行うことのできる両面画像読取り装置を提供することができる。
【００３６】
本発明に係る両面画像読取り装置は、上記課題を解決するために、上記構成において、上記第１の読取り手段は、上記第２の読取り手段よりも、上記搬送方向の下流側に備えられるとともに、上記第１の読取り手段における焦点深度は、上記第２の読取り手段における焦点深度よりも浅いことを特徴としている。
【００３７】
ここで、焦点深度とは、読取り手段による原稿の読取りにおける焦点面の前後で、鮮明な像ができる光軸方向の範囲を意味する。
【００３８】
上記構成において、搬送方向の下流側に備えられる第１の読取り手段の焦点深度は、それよりも上流側の第２の読取り手段の焦点深度よりも浅くなっている。
【００３９】
上述のように、補助ガイド部材は、弾性部材を搬送方向の上流側に備えているとともに、回動支点を下流側に備えている。このため、補助ガイド部材が原稿と接触すると、上流側においては補助ガイド部材の移動によって原稿の位置が異なってしまうこともある一方で、下流側においては原稿の位置を異ならせることはない。そこで、上述のように、下流側において焦点深度の浅い第１の読取り手段を備え、上流側において焦点深度の深い第２の読取り手段を備えれば、それぞれの読取り手段によって読取りを確実にできる。よって、原稿の両面を読取る際に、それぞれの面の画質を劣化させることなく読取ることができる。
【００４０】
【発明の実施の形態】
本発明の一実施の形態について図１ないし図７に基づいて説明すると以下の通りである。
【００４１】
本実施形態の両面原稿読取り装置（両面画像読取り装置）１は、図２に示すように、光学系２と、その上方に配置されるＡＤＦ（移動筐体部）３とを備えている。この両面原稿読取り装置１は、例えば複写機やファクシミリ装置のスキャナ装置として用いることができる。
【００４２】
この光学系２は、第２の読取り手段としてのＣＣＤ（Ｃｈａｒｇｅ　Ｃｏｕｐｌｅｄ　Ｄｅｖｉｃｅ）読取りユニット１１、光源ユニット１３およびミラーユニット１４によって、原稿ガラス１２上に載置された図示しない原稿の画像を読取ることができるとともに、搬送されている図示しない原稿の一面の画像を原稿ガラス１６の位置において読取ることができる。
【００４３】
また、ＡＤＦ３は、搬送されている原稿の他の面の画像を、原稿ガラス１６と対向配置された第１の読取り手段としてのＣＩＳ（Ｃｏｎｔａｃｔ　Ｉｍａｇｅ　Ｓｅｎｓｏｒ：密着型イメージセンサ）２１にて読取るようになっている。
【００４４】
これによって、両面原稿読取り装置１は、原稿を分離搬送しつつ、２つの読取り手段によって表裏それぞれの面の画像を読取るようになっている。
【００４５】
以下、光学系２およびＡＤＦ３の詳細な構成について説明する。
【００４６】
光学系２のＣＣＤ読取りユニット１１は、原稿ガラス１２上に載置され、平面支持された原稿の画像を読取るためのものである。読取りの際には、光源ユニット１３およびミラーユニット１４によって、原稿画像をＣＣＤ読取りユニット１１に結像させて、読取りを行うようになっている。ＣＣＤ読取りユニット１１は、結像レンズ１１ａおよびＣＣＤイメージセンサ１１ｂなどを備えている。
【００４７】
光源ユニット１３は、光源１３ａ、ミラー１３ｂ、スリット１３ｃおよびミラー１３ｄを備えている。原稿の読取りの際には、光源１３ａからの照射光をミラー１３ｂが原稿ガラス１２上の所定の読取り位置に集光する。そして、スリット１３ｃは、入射する光のうち原稿からの反射光のみを通過させてミラー１３ｄへと導く。ミラー１３ｄはスリット１３ｃから入射された光を反射してミラーユニット１４へと導く。
【００４８】
ミラーユニット１４は、光源ユニット１３から入射される光をＣＣＤ読取りユニット１１に導く一対のミラー１４ａ・１４ｂを備えている。
【００４９】
原稿ガラス１２に載置された原稿の読取りの際には、例えば光源ユニット１３が所定の速度Ｖで移動するとともに、ミラーユニット１４がＶ／２の速度で矢印１５方向（副走査方向）に移動して、符号１３ｅ、１３ｆ、１４ｃなどで示すように、原稿ガラス１２にわたって移動して、載置された原稿の画像を読取るようになっている。
【００５０】
また、この光学系２には、原稿ガラス１２から副走査方向に離間した位置に、もう１枚の原稿ガラス１６が設けられている。
【００５１】
この原稿ガラス１６は、図１に示すように、読取り手段としての光源ユニット１３およびＣＩＳ２１による読取位置へと搬送される原稿をガイドするための補助ガイド部材３０と対向して配置されている。
【００５２】
この補助ガイド部材３０は、図１および図３に示すように、ＣＩＳ２１と原稿ガラス１６との間に配置されている。補助ガイド部材３０は、原稿搬送方向の下流側に回動支点３０ａを有している。また、補助ガイド部材３０は、原稿搬送方向の上流側には、バネ（弾性部材）３０ｂを備えている。
【００５３】
図１に示すように、読取位置へと搬送される原稿Ｐと補助ガイド部材３０とが接触すると、バネ３０ｂが変形することによって補助ガイド部材３０は回動支点３０ａを中心として回転する。これによって、原稿Ｐとの無理な接触状態を避けて、原稿Ｐを劣化させず、紙粉を生じさせないようになっている。
【００５４】
なお、図３においてはバネ３０ｂは省略している。また、例えば図１および図３のような断面図においては、部材のうち、断面が手前側にあるもののみを示して参照番号を付して説明しており、奥側にある部材については特に示してはいない。
【００５５】
また、搬送する原稿Ｐの紙厚によっては、そもそも原稿Ｐが原稿の搬送路と不必要な接触をしない場合もある。例えば、図４に示すように、紙厚の薄い原稿Ｐの場合には、補助ガイド部材３０と原稿Ｐとが接触しない場合もある。
【００５６】
一方、ＡＤＦ３は、光学系２に対して蓋となるような形状である。すなわち、ＡＤＦ３は光学系２に対して移動可能であり、移動としての蓋の開閉に応じて、原稿ガラス１６とＣＩＳ２１とが離間され、または対向配置されるようになっている。
【００５７】
また、ＡＤＦ３は、搬送されている原稿の上述とは異なる面（以下、裏面とする。）を読取るためのＣＩＳ２１を備えている。また、ＡＤＦ３は、原稿載置トレイ２２、各種のローラＲ１〜Ｒ１０、センサＳ１〜Ｓ６、湾曲搬送路２３およびレジスト・斜行補正領域２４を備えている。
【００５８】
原稿載置トレイ２２は、搬送しながら両面を読取るための原稿を載置するためのトレイである。本実施形態の原稿載置トレイ２２は、センサを備えた電動のトレイである。
【００５９】
図５に示すように、原稿載置トレイ２２に原稿が載置されていない場合には、原稿載置トレイ２２の位置は低い位置に配置される。
【００６０】
一方、図６に示すように、アクチュエータＳ１ａおよびセンサ本体Ｓ１ｂからなる原稿載置センサＳ１が、原稿載置トレイ２２に原稿がセットされたことを検知すると、原稿載置トレイ２２は所定のタイミングで上昇を開始する。
【００６１】
そして、積載された原稿束の最上面原稿が、アーム２５によって昇降変位自在に支持されているピックアップローラＲ１を押し上げ、センサＳ２がその押し上げを検知すると、原稿載置トレイ２２の上昇は一旦停止して、待機状態となる。
【００６２】
なお、原稿載置トレイ２２に原稿がセットされ、上述のように原稿載置トレイ２２が上昇して待機状態となった後に、所定時間放置された場合は、原稿載置トレイ２２は所定のレベルまで降下して待機する。
【００６３】
上述の待機状態において、例えば図示しない操作部の読取り開始ボタンの入力によって原稿の給紙開始信号が入力されると、図２に示すように、給紙ローラＲ１が回転駆動して、上記の原稿束の最上面から原稿を順次取込む。
【００６４】
ここで、原稿載置トレイ２２は、原稿が順次給紙され、原稿束の高さが下がり、給紙ローラＲ１の位置が降下すると、これをセンサＳ２によって検出し、それに応じた分だけ上昇する。これによって、常に原稿束の最上面と給紙ローラＲ１とが所定の位置関係、接触状態を保てるようになっている。
【００６５】
また、原稿載置トレイ２２は、原稿の搬送をする湾曲搬送路２３によって必然的に形成される、湾曲搬送路２３の入口側と出口側との高さの範囲内で上下するようになっている。このように上下方向に変位するとともに接触状態を一定に保つので、大量の原稿の載置が可能になるとともに、大量の原稿を搬送する場合であっても安定して原稿の搬送を行うことができる。
【００６６】
給紙ローラＲ１に対して原稿の搬送方向の下流側には、原稿捌きローラＲ２および原稿捌き板２６が配置されている。原稿捌き板２６は、ばね２７によって原稿捌きローラＲ２側に付勢されている。これによって、例えば給紙ローラＲ１によって複数枚の原稿が同時に取込まれたとしても、原稿捌きローラＲ２に密着している最上面原稿のみが取込まれて、湾曲搬送路２３へと搬送される。また、原稿が原稿捌きローラＲ２によって分離供給されたか否かは、アクチュエータＳ３ａおよびセンサ本体Ｓ３ｂから成るセンサＳ３によって検知される。そして、原稿は、所定のタイミングで、下流側の湾曲搬送路２３へと導かれる。
【００６７】
湾曲搬送路２３において、原稿は搬送ローラＲ３〜Ｒ７によって搬送される。アクチュエータＳ４ａおよびセンサ本体Ｓ４ｂからなるセンサＳ４が、湾曲搬送路２３からの原稿の排出を検知し、原稿が無理なく導かれてきているか否かを判別する。
【００６８】
この湾曲搬送路２３は、読取り可能な原稿のうち、最も厚い、すなわち最も腰のある原稿を安定して円滑に搬送できる曲率となっている。このため、例えばメーカーは、あらゆる種類の原稿の安定供給を保証することもできる。
【００６９】
湾曲搬送路２３から排出された原稿は、レジスト・斜行補正領域２４に搬送される。原稿の先端がレジスト・斜行補正領域２４の出口付近にあるレジストローラＲ８・Ｒ９の手前に配置されたセンサＳ５によって検知されると、レジストローラＲ８・Ｒ９を停止させた状態で、上流側の搬送ローラＲ６・Ｒ７によって原稿がレジストローラＲ８・Ｒ９に所定時間押し付けられる。これによって、レジストおよび斜行の補正を行うことができる。なお、センサＳ５は、アクチュエータＳ５ａおよびセンサ本体Ｓ５ｂからなる。また、レジストローラＲ８・Ｒ９によって所定の時間原稿を止めた後で、原稿を原稿ガラス１６へと送りだして読取りをする構成なので、原稿の読取りタイミングなどがずれることを防止できる。
【００７０】
また、湾曲搬送路２３の最終の搬送ローラＲ６・Ｒ７の対からレジストローラＲ８・Ｒ９の対までの区間に相当するレジスト・斜行補正領域２４は、上述のようなレジストおよび斜行の補正に適した配置となっている。すなわち、例えば、これらのローラＲ６・Ｒ７とＲ８・Ｒ９との間で、原稿の状態がほぼ直線となり、搬送経路のガイド面から極力フリーとなるように設計されている。
【００７１】
この構成によれば、例えば紙厚の厚い原稿のような、腰のある原稿を搬送処理する場合であっても、原稿を湾曲させずに、搬送をガイドする部材に原稿の面を余分に接触させることなくレジストおよび斜行を補正できる。したがって、効果的にレジストおよび斜行の補正を行うことができる。
【００７２】
また、上述のように、レジスト・斜行補正領域２４は、湾曲搬送路２３の最終の搬送ローラＲ６・Ｒ７の対から、レジストローラＲ８・Ｒ９の対までの区間に相当する。したがって、確実に原稿送りをするために、ローラＲ６・Ｒ７とレジストローラＲ８・Ｒ９との間の距離は、原稿送り装置として処理することが可能な原稿の中で、最も小さな原稿の搬送方向の長さ以下であることが好ましい。一方、ローラＲ６・Ｒ７からレジストローラＲ８・Ｒ９に向けて原稿を送り出す際には、原稿の部分のうち、レジスト・斜行補正領域２４に送り出されている部分が多い方がレジスト・斜行の補正を効率的に行うことができる。このため、上述のローラＲ６・Ｒ７とＲ８・Ｒ９との間の距離は、できるだけ長い方が好ましい。
【００７３】
上述のように、レジスト・斜行補正領域２４にて補正された原稿は、所定のタイミングで原稿ガラス１６へと送りだされて、原稿画像の読取りが行われる。
【００７４】
本実施形態においては、図１に示すように、原稿ガラス１６上を搬送される原稿Ｐの表面が光源ユニット１３によって照射され、反射光が光源ユニット１３、ミラーユニット１４を介してＣＣＤ読取りユニット１１へと導かれて、原稿Ｐの読取りが行われる。
【００７５】
そして、原稿ガラス１６上を搬送される原稿Ｐは、次に裏面をＣＩＳ２１にて読取られる。読取りが行われた原稿Ｐは、図２に示す排紙トレイ１７に排出される。
【００７６】
ここで、図２に示すように、レジストローラＲ８・Ｒ９から原稿ガラス１６へと原稿を送りだす際には、原稿Ｐを原稿ガラス１６の斜め上方から送り込む構成となる。そして、原稿Ｐが、例えば図１に示すように、補助ガイド部材３０と一部において接触する場合には、上述のように、バネ３０ｂが弾性変形することによって補助ガイド部材３０が回動支点３０ａを中心として回転して、原稿Ｐとの接触状態を改善する。これによって、例えば厚紙の原稿を読取る場合であっても、紙粉を発生させない。読取り手段の近傍において紙粉を発生させないので、確実な読取りを行うことができる。また、例えば大量印刷するために高速で原稿を搬送する場合であっても、紙粉を発生させないので、確実な読取りを行うことができる。
【００７７】
なお、光源ユニット１３による照射位置（読取り位置）とＣＩＳ２１による読取り位置とは、原稿の搬送方向に相互に離間しており、ＣＩＳ２１による読取り位置が搬送方向の下流側となっている。また、このＣＩＳ２１は、限られた搬送路長の範囲で、終端付近に配置されるのが好ましい。そうすれば、ＣＩＳ２１による読取り位置において、原稿の紙厚に応じた原稿の浮きが発生した場合であっても、この浮きによる変化を少なくして、より確実にＣＩＳ２１による読取りを行うことができる。
【００７８】
このようにして、原稿Ｐの種類（透過性や腰）に応じて、補助ガイド部材３０が移動するので、原稿Ｐの種類によらず、原稿Ｐの表裏両面の読取りを適切に行うことができる。
【００７９】
また、上記構成において、ＣＩＳ２１における焦点深度は、ＣＣＤ読取りユニット１１における焦点深度よりも浅くなっている。
【００８０】
ここで、焦点深度とは、読取り手段による原稿の読取りにおける焦点面の前後で、鮮明な像ができる光軸方向の範囲を意味する。
【００８１】
本実施形態においては、例えば、ＣＩＳ２１における焦点深度は１ｍｍ程度であり、ＣＣＤ読取りユニット１１における焦点深度は４ｍｍ程度である。
【００８２】
したがって、レジストローラＲ８・Ｒ９に対してより近い位置であって、原稿ガラス１６に対する原稿の浮きが発生する虞れのある位置に、焦点深度が深いＣＣＤ読取りユニット１１による読取り位置を配置し、レジストローラＲ８・Ｒ９から遠い位置であって、原稿ガラス１６に対する原稿の浮きが発生する虞れの少ない位置に、焦点深度が浅いＣＩＳ２１の読取り位置を配置して、読取りを確実に行えるようにしている。
【００８３】
また、レジストローラＲ８・Ｒ９から送り込まれる原稿Ｐは、原稿ガラス１６のある読取位置において浮きを生じる虞れがあるので、本発明においては、第１の読取り手段としてのＣＩＳ２１と、第２の読取り手段としての光学ユニット１３とにまたがる範囲で、原稿読取り面としての原稿ガラス１６に対向するように補助ガイド部材３０を設け、補助ガイド部材３０にて原稿Ｐを原稿ガラス１６に押圧する構成としている。
【００８４】
また、原稿Ｐが搬送されていない、または原稿Ｐと接触しない場合には、補助ガイド部材３０は、バネ３０ｂによって、原稿ガラス１６と一定の距離関係をもって対向するようになっている。
【００８５】
この構成において、例えば図１に示すように、厚紙の原稿Ｐが搬送されてきて、原稿Ｐの浮きが発生した場合には、補助ガイド部材３０によって原稿Ｐが原稿ガラス１６に押し付けられ、読取り手段による焦点深度の範囲内に収まるようにされる。また、この際には、原稿Ｐとの摩擦を必要以上に生じさせないように、補助ガイド部材３０は、回動支点３０ａを中心に回転して、退避するようになっている。
【００８６】
原稿の表裏両面の画像を読取られた原稿は、排出ローラＲ１０・Ｒ１１によって、光学系２とＡＤＦ３との間の原稿排出点から排紙トレイ１７へと排出される。この排紙トレイ１７は、原稿排出点よりも低い位置に設けられている。また、この原稿の排出動作は、アクチュエータＳ６ａおよびセンサ本体Ｓ６ｂからなるセンサＳ６によって検知され、確認される。
【００８７】
以上の動作が、図６に示すように、原稿載置トレイ２２上の原稿に対して順次行われる。そして、原稿載置トレイ２２上にセットされた原稿がなくなるまで繰り返される。読取りを行った原稿は、すべて排紙トレイ１７上に順次排出される。また、排紙トレイ１７は、両面原稿読取り装置１本体から側方に突出するように形成されているので、排出された原稿を簡単に確認することができるとともに、排出された原稿の取り出しを容易に行うことができる。
【００８８】
以上のように、本実施形態に係る両面原稿読取り装置１は、第１の読取り手段としてのＣＩＳ２１と、第２の読取り手段としてのＣＣＤ読取りユニット１１とを備えるとともに、読取り手段による読取位置へと搬送する原稿の搬送方向の上流側にバネ３０ｂを備え、下流側に回動支点３０ａを備えた補助ガイド部材３０を含んでいる構成である。
【００８９】
したがって、上述のように、原稿Ｐを搬送する際には、バネ３０ｂが変形して、補助ガイド部材３０の位置を原稿Ｐに対して適切に調整して、原稿Ｐがスムースに搬送されるようにしているので、厚紙の原稿Ｐであっても安定して高速に搬送できる。
【００９０】
なお、従来の技術として説明した構成においては、２つの読取り手段を備えて原稿の両面を読取る場合に、読取り手段ごとの焦点深度、焦点深度の補償範囲の違いを考慮した構成とはなっていなかった。
【００９１】
一方、本発明に係る実施の形態においては、読取り手段としてのＣＩＳ２１、ＣＣＤ読取りユニット１１などによる読取り位置の配置を、焦点深度の違いを考慮して行っている。このため、焦点深度を考慮しない構成と比較して、より確実に原稿の読取りを行うことができる。
【００９２】
本発明の他の実施の形態について図８ないし図１１に基づいて説明すると以下の通りである。
【００９３】
以下で説明する他の実施形態の両面原稿読取り装置１ａ〜１ｄは、上述の両面原稿読取り装置１とは、補助ガイド部材３０の構成が異なるのみである。以下ではこの異なる点について説明する。また、同じ部材については同じ符号で参照し、説明は省略する。
【００９４】
両面原稿読取り装置１ａは、図８に示すように、補助ガイド部材３０ｃと、回動支点３０ｄ、移動穴３０Ｄと、バネ（弾性部材）３０ｅ・３０ｆとを備えている。
【００９５】
搬送される図示しない原稿Ｐと補助ガイド部材３０ｃとが接触した場合には、バネ３０ｅが変形し、補助ガイド部材３０ｃは回転支点３０ｄを中心に回転して紙粉を発生させない。
【００９６】
また、上記構成において、補助ガイド部材３０ｃは、位置が固定された原稿搬送方向下流側の回動支点３０ｄに対して、移動穴３０Ｄの範囲で移動可能となっている。さらに、この補助ガイド部材３０ｃは、バネ３０ｆによって下向きの力を受けている。これによって、万が一にも搬送方向下流側において原稿Ｐと補助ガイド部材３０ｃとが接触した場合においても、補助ガイド部材３０ｃを移動可能として紙粉の発生を押さえることができる。
【００９７】
なお、本発明は上記の移動穴３０Ｄおよびバネ３０ｆを用いた構成に限るものではなく、その他の原稿搬送方向下流側を移動可能とする構成であってもよい。
【００９８】
また、さらに他の実施形態として、図９として示すように、本発明に係る両面原稿読取り装置１ｂは、補助ガイド部材３０ｇを備えている構成であってもよい。
【００９９】
この補助ガイド部材３０ｇは、回動支点３０ｈとバネ（弾性部材）３０ｉとを備えている。この補助ガイド部材３０ｇは、図示しない原稿Ｐの搬送方向に対して、ＣＩＳ２１よりも上流側に配置されている。この構成においても、上述の形態と同様に、搬送されてくる原稿Ｐと接触した場合にバネ３０ｉが変形して回動支点３０ｈの周りで回転することによって、原稿Ｐとの接触を減らして紙粉を生じさせない。
【０１００】
また、さらに他の実施形態として、図１０に示すように、本発明に係る両面原稿読取り装置１ｃは、補助ガイド部材３０ｊを備えている構成であってもよい。
【０１０１】
補助ガイド部材３０ｊは、回動支点３０ｋとバネ（弾性部材）３０ｌとに加えて、ローラ３０ｍを備えている。
【０１０２】
搬送される図示しない原稿Ｐが補助ガイド部材３０ｊのローラ３０ｍと接触すると、バネ３０ｌが変形して補助ガイド部材３０ｊを回転させるとともに、さらにローラ３０ｍが回転することによって、原稿Ｐと補助ガイド部材３０ｊとの摩擦を減らし、紙粉を発生する虞れをより削減できる。
【０１０３】
また、さらに他の実施形態として、図１１に示すように、本発明に係る両面原稿読取り装置１ｄは、補助ガイド部材３０ｎを備えている構成であってもよい。
【０１０４】
補助ガイド部材３０ｎは、回動支点３０ｏとバネ（弾性部材）３０ｐとを備えている。補助ガイド部材３０ｎは、図１１に示すように、原稿Ｐと接触する側の面が曲率を持って形成されている。このため、原稿Ｐと補助ガイド部材３０とが接触する場合には、バネ３０ｐが変形して補助ガイド部材３０ｎを回転させるとともに、接触の際の接触面積を減少させ、紙粉を生ずる虞れをさらに削減できる。
【０１０５】
なお、例えば図８ないし図１１のような断面図においては、部材のうち、断面が手前側にあるもののみを示して参照番号を付して説明しており、奥側にある部材については特に示してはいない。
【０１０６】
以上のように、両面画像読取り装置１ａ〜１ｄにおいても、ＣＣＤ読取りユニット１１とＣＩＳ２１とによる読取位置へと原稿Ｐを案内する補助ガイド部材３０ｃ・３０ｇ・３０ｊ・３０ｎのバネ３０ｅ・３０ｉ・３０ｌ・３０ｐによって、原稿Ｐに対する補助ガイド部材の位置が調整されて、厚紙の原稿Ｐであっても安定して高速に搬送できる。
【０１０７】
また、本発明は、上述の構成に限るものではなく、例えば、補助ガイド部材は、原稿と補助ガイド部材との接触位置に、摩擦を減少させるための滑り材を備えた構成であってもよい。この構成によれば、紙粉が生じる可能性をさらに削減できる。
【０１０８】
また、本発明は上述の構成に限るものではなく、例えば、補助ガイド部材は白色である構成も好ましい。この構成によれば、例えば光学ユニット１３によって読取りを行う場合に、補助ガイド部材が裏写りすることを防止できる。
【０１０９】
また、補助ガイド部材は、移動を容易にするために、できるだけうすく、かつ軽い金属からなる構成であってもよい。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【０１１１】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【０１１２】
【発明の効果】
本発明に係る両面画像読取り装置は、以上のように、第１の読取り手段および第２の読取り手段へと搬送される原稿の搬送方向の上流側に弾性変形する弾性部材を有する一方、上記搬送方向の下流側に回動支点を有する補助ガイド部材を備え、上記補助ガイド部材は、搬送される上記原稿と接触すると、上記弾性部材が弾性変形することによって上記回動支点を中心として回転する構成である。
【０１１３】
それゆえ、原稿が補助ガイド部材と接触しても、補助ガイド部材が回転して、原稿との無理な接触を避ける状態となるので、原稿を劣化させず、紙粉を生じさせないという効果を奏する。
【０１１４】
本発明に係る両面画像読取り装置は、以上のように、上記構成において、上記第１の読取り手段は、上記第２の読取り手段よりも、上記搬送方向の下流側に備えられるとともに、上記第１の読取り手段における焦点深度は、上記第２の読取り手段における焦点深度よりも浅い構成である。
【０１１５】
それゆえ、原稿ごとに原稿の位置が異なる虞れのある搬送方向の上流側に焦点深度の深い第２の読取り手段を備え、原稿の位置が異ならない下流側に焦点深度の浅い第１の読取り手段を備えるので、原稿の両面を読取る際に、それぞれの面の画質を劣化させることなく読取ることができるという効果を奏する。
【図面の簡単な説明】
【図１】本発明に係る両面画像読取り装置の一実施形態の一部を示す断面図である。
【図２】上記両面画像読取り装置の断面図である。
【図３】上記両面画像読取り装置の一部を示す平面図である。
【図４】上記両面画像読取り装置の図１とは異なる紙厚の原稿を搬送する様子を示す概略の断面図である。
【図５】上記両面画像読取り装置に原稿を載せる前の状態を示す断面図である。
【図６】上記両面画像読取り装置に原稿を載せる際の状態を示す断面図である。
【図７】上記両面画像読取り装置における原稿搬送の状態を示す断面図である。
【図８】本発明に係る両面画像読取り装置の他の実施形態を示す概略の断面図である。
【図９】本発明に係る両面画像読取り装置のさらに他の実施形態を示す概略の断面図である。
【図１０】本発明に係る両面画像読取り装置のさらに他の実施形態を示す概略の断面図である。
【図１１】本発明に係る両面画像読取り装置のさらに他の実施形態を示す概略の断面図である。
【図１２】従来の画像読取り装置の一例を示す断面図である。
【図１３】従来の画像読取り装置の他の一例を示す断面図である。
【図１４】従来の画像読取り装置のさらに他の一例を示す断面図である。
【符号の説明】
１、１ａ、１ｂ、１ｃ、１ｄ　　両面原稿読取り装置（両面画像読取り装置）
１１　　　　　　　　　　　　　ＣＣＤ読取りユニット（第２の読取り手段）
１３　　　　　　　　　　　　　光源ユニット（第２の読取り手段）
１４　　　　　　　　　　　　　ミラーユニット（第２の読取り手段）
２１　　　　　　　　　　　　　ＣＩＳ（第１の読取り手段）
３０、３０ｃ、
３０ｇ、３０ｊ、３０ｎ　補助ガイド部材
３０ａ、３０ｄ、
３０ｈ、３０ｋ、３０ｏ　回動支点
３０ｂ、３０ｅ、
３０ｉ、３０ｌ、３０ｐ　バネ（弾性部材）
Ｐ　　　　　　　　　　　　　　原稿
【図１】
2004007229.tif 000003
【図２】
2004007229.tif 000004
【図３】
2004007229.tif 000005
【図４】
2004007229.tif 000006
【図５】
2004007229.tif 000007
【図６】
2004007229.tif 000008
【図７】
2004007229.tif 000009
【図８】
2004007229.tif 000010
【図９】
2004007229.tif 000011
【図１０】
2004007229.tif 000012
【図１１】
2004007229.tif 000013
【図１２】
2004007229.tif 000014
【図１３】
2004007229.tif 000015
【図１４】
2004007229.tif 000016